Podtech/llm-jp-corpus-v4-ja_patent huggingface dataset:
(57)【要約】      （修正有）【課題】食品廃棄物、汚泥の処理機としてトラックに搭載し移動処理する。【解決手段】本発明は、食品、汚泥廃棄物の処理機であり、トラックに搭載して廃疾現場に行き、素早く廃棄物を処理する処理機です。広大な敷地も要らず、素早く廃棄物を再生させるため回りの人々にも迷惑を掛けないで処理加工出来る移動処理機です。【選択図】図４
2006036617.tif 000002
【特許請求の範囲】
【請求項１】
本発明は、食品廃棄物処理に関する発明です。現在、食品廃棄物は焼却が大半をしめてます。わずかな残り廃棄物を回収し、コンポスト化してるのが現状です。それも回収した廃棄物を各、処理場に運び、設置されてる処理機にてコンポスト化してるのです。本発明は、食品廃棄物処理機を自動車に積み、各、廃棄物廃疾場所に行き、処理する廃棄物を自動車に積み込んだ食品廃棄物処理機に中に投入します、投入することにより、回収した廃棄物は素早くコンポスト加工が出来る。図１は食品廃棄物処理機を車に搭載した図です。符号１本体外装部、符号２は処理機の回転どらむです、符号３は食品廃棄物、汚泥、投入口、取り出し口です。符号４は回転シャフトです、符号６はシャフトを回転させる歯車です、符号９は符号７、６、９、１４、との接続歯車です、符号１０は減速モーターです、符号１１ハモーター固定台です、符号１２は電源等のコントロルＢＯＸです、符号７、１９、１５、は本体をセット支柱です。符号８、１８は棒状ヒーターです、符号２０は主軸に取り付けた回転羽です。符号１３はトラックです。符号２１は発電機です。以上の構造で食品廃棄物、汚泥の再生を移動しながら行う発明です。
【請求項２】
本発明は食品廃棄物、汚泥処理の撹拌に大使、素早く撹拌ができ、再生出来るように主軸のシャフトに羽根状の刃物つけた。符号２２はシャフトから温風が出るようにした。符号２３はヒーターでありヒーターの回りに風を送りる。符号２４は主軸に風の吹き出し口です。この方法は撹拌を早苦する発明です。
【発明の詳細な説明】
【技術分野】
【０００１】本発明は、トラックに食品廃棄物、汚泥処理機を乗せて現場に移動し、その場で廃棄物を投入し、素早くコンポスト化をする移動処理機す。［背景技術］【０００２】従来、食品廃棄物、汚泥のコンポスト化は処理場に運び、設置してある処理機に投入しコンポスト化してる。［発明の開示］［発明が解決しようとする課題］【０００３】そのために、次ぎのような問題点があった。食品廃棄物、汚泥の処理には広大な敷地がなければ処理が不可能であった。本発明の処理機は移動式であり、その場で処理がはじまり、廃棄物の量により約３−５時間でコンポスト化が出来るため、広大な敷地はいらない、又、移動処理機の中でコンポスト化が進んで居ない場合は処理施設にて、トラックから移動処理機を降ろし、固定設置台に置き、トラックに取り付けたようにし稼動させる。処理機をトラックから降ろしたら、変わりの処理機を同じように乗せ、次ぎの現場に移動できる。本発明は移動式であり、又、処理機の交換も簡単に出来るのが特徴であり処理は通常よりはるかに早く、悪臭の発生も少ない。［課題を解決するための手段］【０００４】現在、多方面で使用されている処理機はすべて固定式であり広大な敷地を使用してる。廃棄物をコンポスト化するにも何時間、何日と掛けて処理してる。食品廃棄物、汚泥処理をすみやかに行うように移動式処理機を発明した。移動式処理機はコンクリートミキサーとよくにており、ドラムの回転とシャフトの回転により処理を速めた。処理機は簡単にトラックに積み替えが出来る。［発明の効果］【０００５】本発明の食品廃棄物、汚泥処理機は広大な敷地を使わずに素早く処理が出来る処理機です。廃棄物の出る現場に行きトラックに設置した処理機に食品廃棄物、汚泥を投入する、投入することにより処理が始まる。処理中の悪臭は殆ど無く、素早く行える。［発明を実施するための最良の形態］【０００６】以下、本発明の実施の形態について説明する。トラックに処理機を乗せためにあらかじめトラックに固定支柱を立て固定支柱に処理機を乗せて固定する。処理機をトラックに乗せて、現場につき、食品廃棄物、汚泥を投入口より入れ、コントロールＢＯＸのスイッチをＯＮにする。ＯＮにすることにより処理機が稼動する。稼動は正回転逆回転と、２−３分間隔で回転する。ドラムの回転が左の場合は、ドラム内のシャフトは右回転するその繰り返しにて、食品廃棄物、汚泥処理が早くなる／処理剤には、ゼオライトと好気性バチルス菌を投入し、ドラム内で撹拌する。バチルス菌は熱に強く分解能力も優れている、処理機がきめられた量の廃棄物を入れたら帰り、次の処理機と交換して、再び現場に戻る。積み降ろした処理機は保管台に取り付け回転を繰り返し、コンポスト化にする。
【図面の簡単な説明】
【０００７】
【図１】トラックに搭載した処理機の断面図
【図２】トラックに搭載した処理機の構造図
【図３】処理機のシャフト図
【図４】処理機の断面図
【符号の説明】
【０００８】１    処理機の外装２    処理機の回転ドラム３    廃棄物投入、取り出し口４    回転シャフト５    ドラム回転帯び６    歯車７    支柱８    ヒーター線９    歯車１０  モーター１１  モーター受け台１２  コントロールＢＯＸ１３  車体１４  歯車１５  支柱１６  ローラー１７  シャフト１８  ヒーター１９  支柱２０  回転羽２１  発電機２２  空気穴２３  ヒーター
【図１】
2006036617.tif 000003
【図２】
2006036617.tif 000004
【図３】
2006036617.tif 000005
【図４】
2006036617.tif 000006
(57)【要約】【課題】痴呆性老人が入所する老健施設や老人ホーム等の介護施設において、痴呆性老人がエレベーターの乗場ボタンを押せなくさせて、無断でエレベーターに乗り込むことにより行方不明等の事故を未然に防止することを目的とする。【解決手段】エレベーター乗場ボタンに小指が通らない程度の大きさの穴「１」が開けられたカバーを取りつけることにより、乗場ボタンをカバーで覆い、指で直接ボタン操作をできなくさせ、代わりに自動車等の鍵や眼鏡の耳かけ部分の先端などを「１」に挿入して乗場ボタンを押す操作を行わせる。【選択図】図１
2006036417.tif 000002
【特許請求の範囲】
【請求項１】
エレベーターの乗場において、エレベーターを呼び出すボタンにカバーを取付けし、このカバーには細い工具等を挿入して上記ボタンを押すことが出来る小さな穴を貫通したことを特徴とする施設エレベーター用ボタンカバー
【発明の詳細な説明】
【技術分野】
【０００１】
本発明は、主に老健施設や老人ホーム等、痴呆性老人が入所している介護施設に設置されているエレベーターの操作ボタンに関するものである。
【背景技術】
【０００２】
老健施設や老人ホーム等に設置されているエレベーターに入所している帰宅願望の強い痴呆性老人が無断で乗り込んでしまうと、行方不明等の事故につながる危険性がある。
【０００３】
痴呆性老人が使用できないようにエレベーターかご内操作盤のボタンを複雑に押す事により作動させるような装置では、痴呆性老人と同時に面会人など操作方法の知らない第三者も使用できなくなるという欠点がある。
【特許文献１】特開２００４−１４９２２７
【０００４】
エレベーターかご内での操作は、操作方法が分からないと閉じ込められてしまう可能性や、特開２００４−１４９２２７にあるような操作完了まで扉が閉まらないような設定の操作装置では、他の階でエレベーターの到着を待つエレベーター利用者が長時間待たされる可能性がある。
【発明の開示】
【発明が解決しようとする課題】
【０００５】
解決しようとする問題点は、エレベーターの乗場において乗場ボタンを痴呆性老人が操作できなくさせて、行方不明等の事故を未然に防ぐことである。
【課題を解決するための手段】
【０００６】
本発明は、エレベーター乗場のボタンに取りつけることにより、乗場ボタンを当該装置で覆うことによって、乗場ボタンを指で直接操作できなくなり、痴呆性老人だけがエレベーターを呼び出せなくさせることができる。
【発明の効果】
【０００７】
本発明は、エレベーター乗場のボタンに取りつけるものであるため、面会人など使用方法のわからない第三者は、付近の従業員等に尋ねたり、ボタン操作を代行してもらったりすることが可能である。また、これら第三者がエレベーターかご内に閉じ込められてしまう可能性も考え難い。
【発明を実施するための最良の形態】
【０００８】
高度な装置を導入すると、施設の安全性が強調される反面、家族等の立場からすれば強制的に収容しているような印象を植付け兼ねないので、透明もしくは表示パネルと同系色など周囲に溶け込みやすい色で簡素な形態のものがよい。
【０００９】
以下、本発明の実施例を図面に基づいて説明する。
【００１０】
図１は、エレベーター乗場にあるボタンに当該装置を設置した構成図であるが、本構成図は、最上階もしくは最下階のような、乗場ボタンが１個しかない場合の構成であり、中途階の乗場には、上階行きと下階行きとボタンが２個あるので、当然、「１」の乗場ボタン操作用穴は、ボタンの位置に合わせて２箇所備えるものである。
【００１１】
当該装置に開けられた「１」の乗場ボタン操作用穴の大きさは、人間の小指が通らないもので、かつ、自動車の鍵や眼鏡の耳かけ部の先端等を「１」に挿入するのに支障の無い程度の大きさである。また、穴からボタンまでの距離は一般的な鍵を挿入してボタンが十分押せる程度の距離とする。
【００１２】
乗場ボタンの操作方法は、指でボタンを押す代わりに「１」の乗場ボタン操作用穴に自動車の鍵や眼鏡の耳かけ部の先端等を挿入して押すことにより操作する。
【００１３】
乗場ボタン自体の操作方法には何ら変更がないので、面会人などの第三者であっても操作方法を一度知れば、次回からは操作が安易に可能である。
【００１４】
当該装置の設置方法は、エレベーター乗場のボタンと「１」の乗場ボタン操作用穴の位置を合わせて、「２」のカバー固定用ネジ穴を使用してネジ止めする。また、「２」と壁との接合面にあらかじめ両面テープを貼付したり接着剤等を塗布したりすれば、補強が可能となる。
【図面の簡単な説明】
【００１５】
【図１】エレベーター乗場のボタンに設置した構成図である。
【符号の説明】
【００１６】
１    乗場ボタン操作用穴
２    カバー固定用ネジ穴（ａ〜ｄ）
３    エレベーター表示パネル
４    エレベーター乗場ボタン
【図１】
2006036417.tif 000003
(57)【要約】      （修正有）【課題】子供を乗せたり、あるいは荷物だけ前カゴに積んだりしても、ハンドルが固定してふらつきがないので転倒防止になるチャイルドストッパーを提供する。【解決手段】ハンドルの中心のパイプと自転車の中心のパイプに取りつけレバーで締めたり．緩めたりすることを特徴とする部品です．【選択図】図２
2006036172.tif 000002
【特許請求の範囲】
【請求項１】
自転車のハンドルを固定する部品
【発明の詳細な説明】
【考案の詳細な説明】
【０００１】  ［発明の属する技術分野］自転車のハンドルを固定する部品。自転車を止めている時、前カゴに荷物を入れたりするとハンドルが曲がり、自転車が倒れたりすることを防止する部品です。
【０００２】  ［従来の技術］従来、チャイルドシート用に対しては何もなし。
【０００３】  ［考案が解決しようとする課題］従来の自転車は子供を乗せる時ハンドルが曲がって危険で  す。前カゴに荷物を乗せたりする場合、特にハンドルがふらついて、自転車が倒れたりする場合があります。チャイルドストッパーを取り付けると子供を乗せたり、あるいは荷物だけ前カゴの積んだりしても、ハンドルが固定してふらつきがないので転倒防止になります。
【０００４】  ［課題を解決するための手段］荷物を降ろす時など自転車の補助席に乗っている子供を自転車と一緒に倒したり、倒れそうになったのを何度か目にした事があります。レバーを上げるだけでハンドルが安定し、レバーを下げればハンドルが自由自在に動くよう発明しました。
【０００５】  ［発明の実施形態］ハンドルの中心のパイプ［Ａ］とパイプ［Ｂ］に▲１▼と▲２▼、▲３▼と▲４▼のように合わせてネジで止める。自転車を止めた場合にレバーを締めるとハンドルが固定し、乗る場合にはレバーをゆるめるとハンドルが自由自在に動きます。
【０００６】  ［発明の効果］考案は以上のような構造で、これを使用する時、自転車を乗る時はレバーを緩め、自転車を止めておく時はレバーを締める、お米１０キロ乗せてもハンドルは曲がりません。これは、多くの実験の結果、証明されたことである。
【図面の簡単な説明】
【図１】本発明の斜視図である。    プラスチック（材質）で作ったチャイルドストッパーです。
【図２】本発明の平面図である。
【符号の説明】
［Ａ］［Ｂ］はハンドルと自転車のパイプ
【図１】
2006036172.tif 000003
【図２】
2006036172.tif 000004
(57)【要約】【課題】  本発明は、特に夏の厚さの厳しい時期に自動車の運転者席に、フロントガラス及び運転手側の窓ガラスより直射日光が侵入して引き起こす腕の日焼けを防ぎ、日光が運転者の体に当った時の熱により起こる汗ばみや疲労を軽減する為に、直射日光及び太陽熱を遮断する設備を提供する。【解決手段】  ハンドルの上方を遮光、断熱材（１）で覆うか、ダッシュボードの上部をハンドルの上方まで延ばす状態に変形させる（２）ことにより、ハンドルの上方をカバーする状態にする。窓側は運転者の身体の近くで、肩の高さくらいまで遮光、断熱材で覆い（３）、これを折りたたみ式にすることによって窓側への行動をし易くし、乗降もし易くする。【選択図】図１
2006036174.tif 000002
【特許請求の範囲】
【請求項１】
フロントガラス部分より侵入する直射日光を、ハンドルの上方を遮光、断熱材（１）で遮断する。
【請求項２】
フロントガラス部分より侵入する直射日光を、ダッシュボードの上部をハンドルの上方まで延ばす事（２）により遮断する。
【請求項３】
運転席側ドアガラスより侵入する直射日光を、ドアガラスと運転者の身体との間で遮光、断熱材（３）を取り付け、（３）は（１）（２）との接続部分を可動式にして乗降をし易くしたものにする。
【発明の詳細な説明】
【発明の詳細な説明】
【技術分野】
【０００１】  この発明は直射日光による腕の日焼けを防ぎ、太陽熱による運転者の疲労を軽減し、日差しの強い時の運転者の汗ばみを少なくし気分良く運転出来る環境にする。
【背景技術】
【０００２】  従来、運転する女性等は腕の日焼けに困っている。暑い時期に運転するとき、太陽光が腕、胸、腰、股間、膝に当たり冷房を利かせていても汗ばむし、運転を長時間続ける時は疲労もし易い。
【発明が解決しょうとする課題】
【０００３】  １，直射日光による日焼けを防ぐこと。
２，太陽熱によって汗ばむ事を防ぎクーラーの効率を良くすること。
３，長距離運転の時の疲労を軽減すること。
４，日差しの強い場所での駐車時のハンドル焼を防ぐこと。
【課題を解決する手段】
【０００４】  ハンドルの上方を遮光、断熱材で覆う（１）か、ダッシュボードの上部をハンドルの上方まで延ばす（２）ことにより、ハンドルの上方をカバーする状態にする。
窓側は肩の高さくらいまで遮光、断熱材でカバー（３）し、それを運転者の身体の近くに設置する事で窓側の視界の妨げに成らないようにする。
また、（３）は（１）（２）の右側部分に取り付け可動式にして乗降時の邪魔に成らない様にする。
【発明を実施するための最良の形態】
【０００５】  以下、本発明の実施の形態を説明する
ハンドルの上方をカバーする状態で運転に支障が無いようにする為に、ハンドルとカバーの間隔をとる。
また、前方の視界の妨げに成らないように高さの調整をし、カバーの前方部分は現状のダッシュボードに接する状態まで下げる。
運転者横の遮光断熱材カバー（３）は、運転者の窓側の肩近くに固定する。それによって窓側視界の障害にならない。
但し、（３）は乗降時に邪魔にならない様に可動式にする。
又、（３）を折りたたみ式にする事で運転中の窓側への行動もし易く乗降もし易い。
【発明の効果】
【０００６】  本発明を使用する事で日焼けの防止、クーラーの効率の向上、太陽の直射をさける事で汗ばんだり疲労する事が軽減できる。
【図面の簡単な説明】
【０００７】
【図１】本発明の斜視図
【図２】本発明の要部拡大の平面図
【図３】本発明の要部拡大の正面図
【図４】本発明の要部拡大の側面図
【符号の説明】
（１）遮光、断熱材（２）運転者横の遮光、断熱材（３）蝶番（４）ローラーキヤッチ（５）遮光、断熱材の取付台（６）ハンドル（７）ダッシュボード（８）フロントガラス（９）ドア
【図１】
2006036174.tif 000003
【図２】
2006036174.tif 000004
【図３】
2006036174.tif 000005
【図４】
2006036174.tif 000006
(57)【要約】      （修正有）【課題】泡立て器や箸で混ぜなくても、材料を容器に入れて振るだけでよく混ざる混合容器を提供する。【解決手段】  容器３と、その蓋２と、蓋の容器への取り付け状態において容器の中に挿入される泡立て器１とよりなり、前記泡立て器１は、複数本の金属か樹脂かセラミックか竹の棒４で形成されていることを特徴とする混合容器。【選択図】図１
2006036366.tif 000002
【特許請求の範囲】
【請求項１】
容器と、その蓋と、蓋の容器への取り付け状態において容器の中に挿入される泡立て器とよりなり、前記泡立て器は、複数本の金属か樹脂かセラミックか竹の棒で形成されていることを特徴とする混合容器。
【発明の詳細な説明】
【技術分野】
【０００１】
本発明は、いろいろな材料を入れた後、その容器に蓋をして振ることでよく混ざる容器に関するものである。
【発明の開示】
【発明が解決しようとする課題】
【０００２】
従来、泡立てたり混ぜる時は、材料をボールに入れて泡立て器や箸でかき混ぜていた。
【０００３】
本発明は、ボールや泡立て器や箸を使ってかき混ぜなくても、材料を容器に入れて振るだけでよく混ざる容器を提供することを目的とするものである。
【課題を解決するための手段】
【０００４】
そして、本発明は上記目的を達成するために、振った時に材料がよく混ざるように容器の蓋に泡立て器を装着したものである。
【発明の効果】
【０００５】
本発明の混合容器にすれば、入れた材料は振った時に容器の壁に当たるだけでなく泡立て器の中を通るため、よく混ぜることができる。
【発明を実施するための最良の形態】
【０００６】
以下、本発明の形態を図１〜図２に示す実施例に基づいて説明する。
【０００７】
図においては、１は泡だて器で、蓋２に装着されている。３は、蓋２にぴったりあう容器である。４は金属等でできた棒である。
【０００８】
以下、上記構成の動作を説明する。容器３に材料を入れた後、２の蓋をしてから振ると中の材料をよく混ぜることができる。
【産業上の利用可能性】
【０００９】
上述したように本発明の混合容器は、振るだけでよく混ぜることができるとともに、ボールなど他の器具を使用することなく、この器具だけで混合することができる。
【００１０】
また、例えば市販のドレッシングには品質保持のために乳化剤等が添加されているが、本発明の混合容器を使用すれば、乳化剤等を添加しなくても、振るだけで分離したドレッシングを混合することができる。
【図面の簡単な説明】
【００１１】
【図１】本発明の実施形態を示す混合容器の外観図
【図２】泡立て器が装着された蓋の外観図
【符号の説明】
【００１２】
１    泡立て器
２    蓋
３    容器
４    金属等の棒
【図１】
2006036366.tif 000003
【図２】
2006036366.tif 000004
(57)【要約】【課題】現在女性（妊婦、老女）が尿検査の時従来の使い捨て紙コップの形では持ちずらく採尿しずらいためジャバラを設け角度を変え容易に採尿しやすくする飲料用においては現在何種類ものサイズを内容物、内容量により必要としているため資源の無駄使いをしている【解決手段】従来の採尿用使い捨て紙コップの中央部にジャバラを設ける事により以上上記に説明した通り、本考案となる採尿用使い捨てコップは使用者が自由に持ちやすく尚かつ陰部に固定しやすい角度に変えられ採尿時の尿もれや不快感を解消でき採尿後は従来通りの形に戻し検査に出す事が出来るため衛生面での向上が図れると共に積み重ねが出来き保管時や搬送時、或いは使用済み後の回収時にスペースの低減が図れ極めて効果的である飲料用においては本体に一定間隔のジャバラを入れ、それを伸ばすことによりひとつのコップで何種類もの容量が得られ尚かつ持ちやすく、滑り難く熱が伝わりづらい。更にジャバラが有ることにより本体内側のジャバラの溝が沈殿物を食い止めて口に入るのを防ぐことができる【選択図】なし【特許請求の範囲】
【請求項１】
採尿用使い捨てコップ本体中央部にジャバラを設けて角度の変化が自在になることにより特に女性（妊婦、肥満）の方々に手をわずらわす事無く使用できる便利な採尿用使い捨てコップを提案する。
【請求項２】
更に、飲料用使い捨てコップとして本胴体中央部に一定の間隔を空たけジャバラを設け、そのジャバラを伸ばす事により容量の変化が得られる。尚かつ飲み物カスなどが内部のジャバラの溝に引っ掛かり直接口に入りずらい利点を備えた飲料用使い捨てコップを提案する。
【請求項３】
上記本体の材質は紙、ポリエチレン、発砲スチロールを提案する。
【発明の詳細な説明】
【技術分野】
【０００１】本発明は病院などで尿検査用に使用される採尿用コップで男女問わず使用でき、特に女性が使いやすい角度に変えられる採尿用コップに関するものである【０００２】本発明は現在利用されている何種類かのサイズの違う使い捨てコップを一種類で各サイズに対応できる使い捨てコップに関するものである
【背景技術】
【０００３】現在、医療機関で尿検査をする場合、男女を問わず通常市販されている飲料用の紙制もしくわプラスチック制のコップを利用していることが多い【０００４】現在、飲料用として利用されている使い捨てコップは質、量により何種類かの素材もしくはサイズを必要としている
【発明の開示】
【発明が解決しようとする課題】
【０００５】上記に述べた従来の尿検査用使い捨てコップでは尿の出口をコップの口に合わせる行為が男性は陰部が外に出ているため採取しやすいが女性は陰部が自分では見えにくい位置にある為尿が外に漏れてしまったり手にかかってしまい採取しずらいという問題点があった【０００６】特に妊婦や太った女性には採取しずらい大きな問題であった【０００７】又、現在養老院などで寝たきり老人の尿を定期的に採取する際は通常の使い捨て紙コップを手でつぶし、老人（女性）の股に挟み込みおむつで押さえて尿を採取するという方法をとっている。しかし使い捨て紙コップを手でつぶす際にななめにつぶれてしまったり本体胴部が切れてしまったりと無駄が多かった【０００８】上記に述べた従来の飲料用使い捨てコップは量により複数のサイズを必要としていることと温度により複数の素材を必要としている【０００９】又、本体胴部をつかむとへこみやすく尚かつ滑りやすいという問題点がある【００１０】更に、沈殿した飲み物カスや底に溜まった内容物がそのまま口に入ってしまうという問題がある
【課題を解決するための手段】
【００１１】上記の課題を解決するため本体胴部中央にジャバラを設け自由な角度に曲げられるものとする【００１２】上記の課題を解決するために本体胴部の中央部分に一定間隔を開けたジャバラを設け伸び縮みさせることにより容量が変えられるものとする
【発明の効果】
【００１３】これにより男女問わず尿を採取しやすい角度に調整することが出来、片手でも滑ることなく極めて安定した取扱いができる。【００１４】又、特に女性の場合（妊婦、老女）採尿時に持ちやすい角度に調整し上部開口部を陰部に固定できるため尿の飛び散り、漏れを防止できる【００１５】すなわち採尿時の煩わしさや心配を緩和し、衛生面の向上が図れると共に、尿検査を担当する担当者の不快感も解消できる【００１６】更に養老院などで定期的に行われている尿検査においても小さく縮めておむつの中に差し込めるため本人においても看護士においてもスムーズな採尿ができる【００１７】尚かつ保管時、搬送時、使用済み後の回収時に積み重ねることができるため収納スペースと廃棄の低減が図れ極めて効果的である【００１８】本発明は上記飲料用使い捨てコップを一種類にし、持ちやすく滑りずらい利点を備え熱が持つ手に伝わり難くし、容量の変化も得られ尚かつ縮小し、積み重ね保管、廃棄出来るため環境にやさしいものとなる【００１９】又、ジャバラがある事により本体底部に沈殿した飲み物かすが直接口に入らずジャバラの溝によって阻止できる
【発明を実施するための最良の形態】
【００２０】従来通りの尿検査用紙コップの本体胴部中央にジャバラを設け底部を片手で持ち採尿しやすい角度にし採尿後は従来のコップの形態に戻すことができ検査に提出する事ができる
【図面の簡単な説明】
【００２１】
【図１】本発明の角度自由尿取り使い捨てコップの使用状態にしたときの正面斜視図である
【図２】本発明の伸縮自在使い捨てコップのジャバラを伸ばしていない正面斜視図
【図３】本発明の伸縮自在使い捨てコップのジャバラを上部のみ伸ばした正面斜視図
【図４】本発明の伸縮自在使い捨てコップのジャバラを上部、下部を伸ばした正面斜視図
【符号の説明】
１、本体材質は紙、ポリエステル、発砲スチロールのいずれである
２、ジャバラ加工部分
【図１】
2006036356.tif 000002
【図２】
2006036356.tif 000003
【図３】
2006036356.tif 000004
【図４】
2006036356.tif 000005
(57)【要約】【課題】密閉された飲み物容器に異常圧力が発生した場合に、圧力を容器外に逃がし、容器の破裂を回避できるキャップ用のパッキンを提供する。【解決手段】異常圧力がパッキンに加圧された時パッキンの一部が破壊され又はパッキンの一部が変形することにより、圧力を、容器とキャップの隙間から容器外に逃がし、容器の破裂を回避できる。【選択図】    図１
2006036358.tif 000002
【特許請求の範囲】
【請求項１】
密閉された容器内に異常圧力が発生した場合に、パッキンの一部が破壊され圧力を容器外に逃がす機能を有することを特徴とするキャップ用パッキン。
【請求項２】
密閉された容器内に異常圧力が発生した場合に、パッキンの一部が変形し圧力を容器外に逃がす機能を有することを特徴とするキャップ用パッキン。
【発明の詳細な説明】
【技術分野】
【０００１】  本発明は、例えば飲料水などが詰められたプラスチック容器やペットボトルの容器口部に被せられるキャップに使用されるパッキンに関する。
【背景技術】
【０００２】  従来、容器の密封用パッキンを有するキャップは、開栓後ふたたび栓を締めると容器内部の気密性を維持する機能を有している。【０００３】  しかしながら、飲みかけの容器に雑菌等が入り容器内で雑菌が増殖することにより、異常圧力が生じ容器の破裂事故が発生している。
【発明の開示】
【発明が解決しようとする課題】
【０００４】  この発明は、密閉された容器に異常圧力が生じた場合に容器が破裂する前に圧力を外に逃がす機能を有するパッキンを提供することにある。
【課題を解決するための手段】
【０００５】  本発明は、上述の課題を解決するための手段を以下のように構成している。すなわち、請求項１に記載の発明では、異常圧力がパッキンに加圧された時パッキンの一部が破壊され、圧力は容器とキャップの隙間から容器外に逃がし、容器の破裂を回避できる。【０００６】  また、請求項２に記載の本発明では、異常圧力がパッキンに加圧された時パッキンの一部が変形し、圧力は容器とキャップの隙間から容器外に逃がし、容器の破裂を回避できる。
【発明の効果】
【０００７】  以上のように、本発明によれば、飲みかけの容器が気密を保たれた状態で異常圧力が発生した場合に容器の破裂を防止することができる。
【発明を実施するための最良の形態】
【０００８】  以下、本発明の実施の形態を図面に基づいて説明する。容器内に異常な圧力が加わった場合に、図２に示すパッキンの圧力に弱い部分Ａが破壊され、その圧力は図１のパッキンとキャップとの間の隙間空間Ｂから図３に示すキャップに設けられた溝Ｃを通り、さらにキャップと容器ねじ部の隙間を抜け、容器の破裂を防止する。【０００９】  また、容器内に異常な圧力が加わった場合に、図５に示すパッキンの圧力に弱い部分Ａが破壊され、その圧力は図４のパッキンとキャップとの間の隙間空間Ｂから図６に示すパッキンに設けられた溝Ｄを通り、さらにキャップと容器ねじ部の隙間を抜け、容器の破壊を防止する。【００１０】  請求項目２の発明では、容器内に異常な圧力が加わった場合に、図８に示すパッキンＢの一部Ｅが圧力で変形し、その圧力はパッキンＡとパッキンＢの隙間から図７のパッキンとキャップとの間の隙間空間Ｂに逃げ、図９に示すキャップに設けられた溝Ｃを通り、さらにキャップと容器ねじ部の隙間を抜け、容器の破裂を防止する。【００１１】  また、容器内に異常な圧力が加わった場合に、図１１に示すパッキンＢの一部Ｅが圧力で変形し、その圧力はパッキンＡとパッキンＢの隙間から図１０のパッキンとキャップとの間の隙間空間Ｂに逃げ、図１２に示すパッキンに設けられた溝Ｃを通り、さらにキャップと容器ねじ部の隙間を抜け、容器の破裂を防止する。
【図面の簡単な説明】
【００１２】
【図１】キャップおよび本発明のパッキンの縦断面図である。
【図２】本発明のパッキンの縦断面図である。
【図３】キャップの底面図である。
【図４】キャップおよび本発明のパッキンの縦断面図である。
【図５】本発明のパッキンの縦断面図である。
【図６】本発明のパッキンの上面図である。
【図７】キャップおよび本発明のパッキンの縦断面図である。
【図８】本発明のパッキンの縦断面図である。
【図９】キャップの底面図である
【図１０】キャップおよび本発明のパッキンの縦断面図である。
【図１１】本発明のパッキンの縦断面図である。
【図１２】本発明のパッキンの上面図である。
【符号の説明】
【００１３】Ａ  パッキン（強度の弱い部分）
Ｂ  パッキンとキャップとの間の隙間空間
Ｃ  キャップに設けられた溝
Ｄ  パッキンに設けられた溝
Ｅ  パッキン（変形部分）
１  キャップ天板
２  パッキン
３  容器口部
４  容器ねじ部
５  キャップねじ部
６  パッキンＡ
７  パッキンＢ
【図１】
2006036358.tif 000003
【図２】
2006036358.tif 000004
【図３】
2006036358.tif 000005
【図４】
2006036358.tif 000006
【図５】
2006036358.tif 000007
【図６】
2006036358.tif 000008
【図７】
2006036358.tif 000009
【図８】
2006036358.tif 000010
【図９】
2006036358.tif 000011
【図１０】
2006036358.tif 000012
【図１１】
2006036358.tif 000013
【図１２】
2006036358.tif 000014
(57)【要約】      （修正有）【課題】片手で容易に結束でき、片手が不自由な人でも野菜、或いは園芸植物と支持材を結束することが可能な結束具の提供。【解決手段】  巻き付け可能な長方形軟質体の一端にフック部２を形成し、この軟質体の一方の面に面ファスナーの接着体（フック体群）３ａ、他の面に面ファスナーの被接着体（ループ体群）３ｂを配することによりこの軟質体を巻いた際に接着体３ａと被接着体３ｂが接触することで面ファスナー機能を発揮することでフック部２の掛け止め機能と軟質体の面ファスナー機能の相乗効果となる。【選択図】図１
2006036353.tif 000002
【特許請求の範囲】
【請求項１】
野菜、或いは園芸植物と支持材を結束するための結束具。
【発明の詳細な説明】
【技術分野】
【０００１】  本発明は野菜、或いは園芸植物と支持材を結束するための結束具に関するものである。
【背景技術】
【０００２】  この種の結束方法として一般にひもの類で結束する方法がとられている。
【発明の開示】
【発明が解決しようとする課題】
【０００３】  野菜と支持材をひもで結束する際にはひもを結ぶという作業を伴うため災害や傷害、或いは病気の後遺症により片手が不自由な人にとっては不可能な作業である。【０００４】  ひもの一端を口でくわえて結ぶ方法もあるが困難な作業である、またひもを口でくわえるのは不衛生である。【０００５】  本発明は上記の課題を解決するもので野菜と支持材を片手で容易に結束するためのものである。
【課題を解決するための手段】
【０００６】  そのため本発明の結束具は図１に示すとおり巻き付け可能な長方形軟質体（以降、軟質体とする）１の一端にフック部２を形成し、フック部外周面に沿って面ファスナーの接着体（フック体群、以降、接着体とする）３ａを、フック部内周面に沿って面ファスナーの被接着体（ループ体群、以降、被接着体とする）３ｂを各々任意の範囲に軟質体１に配置、接合している。【０００７】  軟質体１の材質は巻き付け可能ならばどのような材質でも良い。【０００８】  フック部２は別途成型したフック形状の軟質体に軟質体１を接合して形成するか、フック部２と軟質体１を一体のものとして形成しても良い。【０００９】  フック部２の形状は図１ではＵ字型をしているが支持材に掛け止め可能ならどのような形状でも良い。【００１０】  図１では接着体３ａ、被接着体３ｂの配置形状をブロック状にしているが他に配置範囲全面に、縞状に、格子状に、或いは斑点状に配置しても良い。【００１１】  接着体３ａと被接着体３ｂの配置を逆にし、フック部外周面に沿って被接着体３ｂを、フック部内週面に沿って接着体３ａを配置しても良い。
【発明の効果】
【００１２】  本発明による結束具を利用することで片手の不自由な人が容易に野菜、或いは園芸植物と支持材を結束することを可能にし、ひいては日常生活において活動の場を広げることになる。
【発明を実施するための最良の形態】
【００１３】  尚、図１において接着体３ａはできるだけフック部先端４に近い部分から軟質体１に配置、接合すると軟質体１をフック部２に向かって押しつける際、より早く接着体３ａと被接着体３ｂが接触し、面ファスナー機能を発揮する。【００１４】  また、被接着体３ｂは接着体３ａに比し柔らかいので野菜を傷つける可能性が少ない、従って接着体３ａをフック部２の外周面に沿って、被接着体３ｂをフック部２の内周面に沿って配置している。
【実施例】
【００１５】  結束具を持った手の親指、或いは薬指で野菜を支持材に近接し、フック部２を支持材に掛け、人差し指でフック部２を支持材に押しつけるようにし、野菜を支持材に押しつけるように親指で軟質体１をフック部２に向かって押しつけると接着体３ａと被接着体３ｂが接触し、面ファスナー機能を発揮することで重なった軟質体１同士が接着し、結束できる。
【産業上の利用可能性】
【００１６】  野菜農場、果樹園、園芸植物栽培場、身体障害者施設等で、或いは身体障害者個人において利用が考えられる。
【図面の簡単な説明】
【００１７】
【図１】本発明の結束具を示す斜視図
【図２】本発明の結束具により野菜と支持材を結束した例を示す斜視図
【符号の説明】
【００１８】  １  軟質体  ２  フック部３ａ  接着体３ｂ  被接着体  ４  フック部先端  ５  結束具  ｐ  支持材  ｖ  野菜
【図１】
2006036353.tif 000003
【図２】
2006036353.tif 000004
(57)【要約】      （修正有）【課題】  調味料などの入っている小さな袋を冷蔵庫の中で１ケ所にまとめ、取り出しやすく、入れやすく収納する容器を提供。【解決手段】  くぼみのある容器の中に、小さな袋が混ざらないようにする仕切り板１をもうけ、冷蔵庫の扉の内側のドアポケットに容器を固定する為にクリップ２を容器の外側につける。そして、冷蔵庫の扉の内側のドアポケット３に、容器をクリップ２ではさんで固定する。クリップ２をフックや粘着テープに変えて、冷蔵庫の扉の内側のドアポケット３の側面に、固定してもよい。【選択図】図２
2006036359.tif 000002
【特許請求の範囲】
【請求項１】
くぼみのある容器で、そのくぼみの中に仕切り板１がもうけてあり、容器の外側の面に、クリップ２がついている容器
【請求項２】
くぼみがある容器で、そのくぼみの中に仕切り板１がもうけてあり、容器の外側の面に、装置４がついている容器
【請求項３】
くぼみのある容器で、そのくぼみの中に仕切り板１がもうけてあり、容器の外側の面に、粘着テープ５がついた容器
【発明の詳細な説明】
【技術分野】
【０００１】  本発明は、冷蔵庫の扉の内側のドアポケットに取り付けられる小さな袋を入れる為の容器に関する。
【背景技術】
【０００２】  これまでは、調味料の入っている小さな袋（例えば、スーパーとかで売っているパック入りの納豆に付いている納豆用のダシの小さな袋や、パック入りの餃子に付いている餃子のタレの小さな袋）を冷蔵庫の中で整理するには、図７のようなプラスチック製の容器に入れておくのが普通であった。
【発明の開示】
【発明が解決しようとする課題】
【０００３】  しかし、図７のようなプラスチックの容器では、小さな袋を入れた時、仕切り板１が無いので、小さな袋は容器の中でごちゃごちゃに混ざってしまい、いざ自分が必要な袋を取り出す時に、取り出したい袋を探すのにかなり手間取ってしまう。【０００４】  それに、図７のようなプラスックの容器を冷蔵庫の奥の方にしまった場合、小さな袋を取り出したり、入れたりする為には、わざわざ冷蔵庫の奥にまで手を伸ばさなくてはならないので、余計な手間がかかるし、余分な時間もかかって、たいへん不快である。【０００５】  このような問題を解決する為には、
調味料の入っている小さな袋を、冷蔵庫の中で、一箇所にまとめ、さらに、取り出しやすく、入れやすく収納しておきたい。【０００６】  そのために、冷蔵庫の扉の内側のドアポケットに取り付けることが可能で、容器のくぼみの中に仕切り板１のついた小さな袋を収納する容器を提供ずる。
【課題を解決するための手段】
【０００７】  図１のように容器のくぼみの中には仕切板１があり、容器に小さな袋を入れると、仕切り板１が、袋がバラバラになったり、ごちゃごちゃに混ざったりしないように、袋をしっかりと安定させてくれる。【０００８】  さらに、この容器の外側の面には、クリップ２がついていて、このクリップ２で冷蔵庫の扉の内側のドアポケット３をはさんで、容器を固定する。【０００９】  こうすると、冷蔵庫の扉を閉めても、容器が冷蔵庫の扉の内側のドアポケット３と、冷蔵庫の中の広い空間の間に存在する事になるので、冷蔵庫の扉の開け閉めの邪魔にもならず、快適に使用できる。【００１０】  第２の解決手段は、容器の外側のクリップ３を、装置４に変えた容器にする。そして、冷蔵庫の内側の扉のドアポケット３に、装置４を引っ掛ける。こうして、容器を固定する。これで、容器が冷蔵庫の扉の内側のドアポケット３と、冷蔵庫の中の広い空間の間に存在する事になるので、冷蔵庫の扉の開け閉めの邪魔にならず、快適に使用できる。【００１１】  第３の解決手段は、容器の外側のクリップ２を、粘着テープ５に変えた容器にする。そして、冷蔵庫の扉の内側のドアポケット３の側面に、容器を、容器の外側の粘着テープ５で接着して、固定する。これで、容器が冷蔵庫の扉の内側のドアポケット３と、冷蔵庫の中の広い空間の間に存在する事になるので、冷蔵庫の扉の開け閉めの邪魔にならず、快適に使用できる。
【発明の効果】
【００１２】  これにより、小さな袋を容器のくぼみの中に入れても、容器のくぼみの中に仕切り板１があるので、袋がバラバラになったり、ごちゃごちゃに混ざったせずに安定して、きれいに整理できる。【００１３】  そして、冷蔵庫の扉の内側のドアポケット３に容器が取り付けてあるので、冷蔵庫の扉を開けてすぐに小さな袋を取り出したり、入れたりできるので、問題は解消されて、不快感は消えた。
【発明を実施するための最良の形態】
【００１４】  以下、本発明の実施の形態を、図１から図６に基づいて説明する。【００１５】  図においては、１が仕切り板で、２はクリップ、３はドアポケット、４は装置、５は粘着テープになる。【００１６】  図１の容器を説明すると、容器のくぼみの中に仕切り板１があり、小さな袋は容器のくぼみの中に入れる。そして、容器の外側の面についているクリップ２で冷蔵庫の扉の内側のドアポケット３を図２のようにはさむ。これで容器は、ドアポケット３に固定される。【００１７】  図２では、先ほど説明した図１の容器を、冷蔵庫の扉の内側のドアポケット３に、容器をクリップ２ではさんで固定したものである。【００１８】  図３の容器を説明すると、容器のくぼみの中に仕切り板１があり、小さな袋は容器のくぼみの中に入れる。そして、容器の外側の面についている装置４を、冷蔵庫の扉の内側のドアポケット３に引っ掛ける。これで容器は、ドアポケット３に固定される。【００１９】  図４では、先ほど説明した図３の容器を、冷蔵庫の扉の内側のドアポケット３に、容器を装置４で引っ掛けて固定したものである。【００２０】  図５の容器を説明すると、容器のくぼみの中に仕切り板１があり、小さな袋は容器のくぼみの中に入れる。そして、容器の外側の面についている粘着テープ５を、冷蔵庫の扉の内側のドアポケット３の側面に接着して、容器を固定する。【００２１】  図６では、先ほど説明した図５の容器を、冷蔵庫の扉の内側のドアポケット３の側面に、容器を粘着テープ５で固定したものである。
【産業上の利用可能性】
【００２３】  本発明は、工場で生産でき、各家庭に提供できる。
【図面の簡単な説明】
【００２４】
【図１】  本発明の容器の第１の実施例を示す斜視図
【図２】  本発明の容器の第１の実施例を示す断面図
【図３】  本発明の容器の第２の実施例を示す斜視図
【図４】  本発明の容器の第２の実施例を示す断面図
【図５】  本発明の容器の第３の実施例を示す斜視図
【図６】  本発明の容器の第３の実施例を示す断面図
【図７】  プラスチックの容器
【符号の説明】
【００２５】１    仕切り板
２    クリップ
３    ドアポケット
４    装置
５    粘着テープ
【図１】
2006036359.tif 000003
【図２】
2006036359.tif 000004
【図３】
2006036359.tif 000005
【図４】
2006036359.tif 000006
【図５】
2006036359.tif 000007
【図６】
2006036359.tif 000008
【図７】
2006036359.tif 000009
(57)【要約】【課題】遮光と乾燥防止の両方を同時におこなうことにより、食品の鮮度を保持する食品包装用ラップフィルムを提供する。【解決手段】不透明に着色した食品包装用ラップフィルムで食品を包装することにより遮光と乾燥防止の両方を同時におこなう食品包装用ラップフィルム。【選択図】図１
2006036354.tif 000002
【特許請求の範囲】
【請求項１】
全体を着色して不透明にして、遮光できる食品包装用ラップフィルム。
【請求項２】
中身を確認するための透明部分を設けた請求項１の食品包装用ラップフィルム。
【発明の詳細な説明】
【技術分野】
【０００１】  本発明は、遮光と乾燥防止の両方を同時におこなうことにより、食品の鮮度を保持する食品包装用ラップフィルムに関するものである。
【背景技術】
【０００２】  従来、食品包装用ラップフィルムとは透明で、遮光できなかった。
【発明の開示】
【発明が解決しようとする課題】
【０００３】  そのために、次のような問題点があった。
食品の風味を損なう光と乾燥の両方を防ぐためには、食品を透明な食品包装用ラップフィルムで包装したあと、さらに上から遮光性のあるもので包まなければならず、費用がかかり、二度手間になるため、効率が悪かった。
本発明は、これらの問題点を解決するためになされたものである。
【課題を解決するための手段】
【０００４】  不透明に着色した食品包装用ラップフィルムで、食品を包装することにより、遮光と乾燥防止の両方を同時におこなう。以上を特徴とする食品包装用ラップフィルムである。
【発明の効果】
【０００５】  本発明は遮光と乾燥防止とを同時に効率的におこない、食品の鮮度を保持する。したがって、遮光するために、遮光性のあるもので上から包む手間がなくなるとともに、その費用を削減するため、経済的である。
【実施例１】
【０００６】  食品包装用ラップフィルム全体に、遮光できるよう不透明（１）に着色する。
本発明は以上の構成からなるので、本発明を使用するときは、上記の食品包装用ラップフィルムで食品を包装すれば、遮光と乾燥防止を同時におこなう。（請求項１記載）
【実施例２】
【０００７】  食品包装用ラップフィルム全体に、遮光できるよう不透明（１）に着色し、中身を確認することができる透明部分（２）を中央から少しずらし左右交互に間隔をあけて設ける。
本発明は以上の構成からなるので、本発明を使用するときには、上記の食品包装用ラップフィルムの透明部分に食品を置き、包装していく。最後に透明部分を不透明部分で覆い隠すように包装する。したがって、包装をすべてはがさなくても、最後に覆い隠した部分をはがせば、中身を確認できるとともに、遮光と乾燥防止を同時におこなう。（請求項２記載）
【図面の簡単な説明】
【０００８】
【図１】本発明の請求項１にかかる実施例を示した斜視図である。
【図２】本発明の請求項２にかかる実施例を示した斜視図である。
【符号の説明】
【０００９】      １  不透明部分
２  透明部分
【図１】
2006036354.tif 000003
【図２】
2006036354.tif 000004
(57)【要約】      （修正有）【課題】電化製品のコード等は、それをコンパクトなケースに収納する事により、それらの不具合をインテリアにもなり、整理整頓も容易で、簡単にコード等の出し入れが出来、危険をも回避する事ができる組立式コード収納ケースの提供。【解決手段】表面に凹部３と凸部２を設け、その凹部３と凸部２は結合可能、コード、紐等を簡単に収納する為にケース本体１を開閉出来るように構成した。【選択図】図１
2006036224.tif 000002
【特許請求の範囲】
【請求項１】
ケースは開閉式で、内部は空洞、表面には凹部と凸部を有し、更にその凹部と凸部は結合が可能な組立て式コード収納ケース。
【請求項２】
前記空洞部にコード、紐、小物等を収納、コード等の出し入れは、凹部凸部から出し入れする請求項１記載の組立て式コード収納ケース。
【発明の詳細な説明】
【技術分野】
【０００１】
本発明は、電化製品のコード等を簡単に収納出来るケースに関する。
【背景技術】
【０００２】
簡単にコード等を収納、表面に凹凸部の付いた、更にその凹凸部を簡単に結合させることの出来るケースは今までにはなかった。
【発明の開示】
【発明が解決しようとする課題】
【０００３】
電化製品のコード等は、コンセントから電化製品本体の距離により、邪魔になる部分が多く有る、時にはその余った部分に足を引っ掛けたり、絡み合ったり、見た目にも良くなく、それらをコンパクトなケースに収納する事により、それらの不具合をインテリアにもなり、整理整頓も容易で、簡単にコードの出し入れが出来、危険も回避することが課題です。
【課題を解決するための手段】
【０００４】
前記目的を達成する為の本発明の組立て式コード収納ケースは、コード等の余った部分を簡単に収納する方法で、ケース内部の空洞部に収納する。コード等が複数になった場合は、ケース表面の凹部と凸部を利用し、ケースとケースを組み合わせる事で解決し、複数のコード等を１つのケースで収納する場合は、内部を仕切り版（プレート）で区切り、コード等の絡みを防止する。ケースの組み合わせ方によっては、室内のインテリアにもなる、以上で上記課題は解決する。
【発明の効果】
【０００５】
本発明にかかる組立て式コード収納ケースは、表面に凹部と凸部を同じ間隔に設け、凹部と凸部から収納されたコード等を効率的に出し入れする事が可能になり、コード等の絡みや、コード等にて足を引っ掛ける事による危険も回避し、効率的に整理する事が可能である。
【発明を実施するための最良の形態】
【０００６】
本発明を図によって説明する。図１は組立て式コード収納ケースの開いた状態の図、図２は複数収納ケース参考図、図３はケースとケースを組み合わせた時のイメージ図である。ケースは開閉可能で、内部は空洞、表面には凹凸部を同じ間隔に設け、凹凸部は結合出来る物である。
【０００７】
図１は、本発明基本の組立て式コード収納ケースの形状図で、６面体の長方形（４角柱）で、表面に凹凸部を設けた開閉可能なケースの、開いた状態の図であり、中の空洞部にコード等を収納する。１は本体、２は凸部、３は凹部、５はコード等を通す穴、この凹凸部が同じサイズ、同じ間隔、同じ形状であることによって、どの面とでも組み合わせが可能になる事を目的とし、ケースとケースが組み合わせる事が出来る、コード等を簡単に収納出来、壁に取り付けたり、小物入れや一輪挿し等、多目的にも利用可能なケース。コード等の長さはケースのサイズで解決、ケースからコード等を出し入れする場合は、５だけではなく、凹部や凸部を使用し、コンセントから電化製品本体の色々な位置、角度に関係なく対応出来る。ケース凹部には香粒（固形香水）をはめ込む事で、室内に快適な香りを漂わせる。壁に取り付ける場合、表面の凸部である内側の凹部からネジ等で取り付けこれを解決する。一輪挿しに利用の場合は、凹部凸部に穴を開ける事で利用可能になる。
【実施例１】
【０００８】
図２は、複数のコード等を収納する、その場合コード等が絡まないように、内部にプレート（仕切り版）をはめ込む事で、複数のコード等を収納する。本ケースも図１ケースと同じく、凹凸部は同じサイズ、同じ間隔、同じ形状である事によって、ケースとケースがサイズに関係なく組み合わせが可能になる。４はプレート(仕切り版)である。
【実施例２】
【０００９】
図３は、ケースとケースを組み合わせた時の参考図、Ａは正面図、Ｂは平面図、６はケース開閉部、７は接合部である。
【図面の簡単な説明】
【００１０】
【図１】組立て式コード収納ケースの開いた図。
【図２】複数収納の組立て式コード収納ケースの開いた図にプレートを取り付けた図。
【図３】組立て式コード収納ケースのケースとケースを組み合わせた参考図。
【符号の説明】
【００１１】
１    ケース（本体）
２    凸部
３    凹部
４    プレート（仕切り板）
５    コードの出し入れする穴
６    ケース開閉部
７    接合部
【図１】
2006036224.tif 000003
【図２】
2006036224.tif 000004
【図３】
2006036224.tif 000005
(57)【要約】【課題】噛み屑ガムが路上等に放棄されないことを助長するガムパッケージを提供すること。【解決手段】外筒１と可動式の仕切り板２とを有し、外筒１の内部は仕切り板２によって二つの部分に別れ、一方には未使用ガム４が収納され、他方には噛み屑ガム５が収納され、噛み屑ガム５が収納される空間は噛み屑入れ３であり、外筒１および仕切り版２は厚紙等で構成されることを特徴とするガムパッケージを構成する。使用前においてはこのガムパッケージには未使用ガム４のみが収納されており、噛み屑入れ３には噛み屑ガム５一個分の収納容積がある。使用に際して未使用ガム４をガム取り出し口６から取り出し、ガムを使用に供し、使用後の噛み屑ガム５は噛み屑ガム収納口７より噛み屑入れ３に収納する。【選択図】図１ 
2006036259.tif 000002
【特許請求の範囲】
【請求項１】
噛み屑入れが備わっていることを特徴とするガムパッケージ。
【請求項２】
未使用ガムと噛み屑ガムとが可動式の仕切り板で仕切られていることを特徴とするガムパッケージ。
【発明の詳細な説明】
【技術分野】
【０００１】
本発明は、ガムパッケージに関し、特にチューインガムの容器に関する。
【背景技術】
【０００２】
ガムパッケージは、チューインガムを収納する容器である。従来のガムパッケージは、複数のチューインガムをそのままあるいは包装して収納している。従来のガムパッケージでは、使用後の噛み屑ガムは、未使用ガムを包装していた包装紙等に包んで廃棄するようになっているものが多い。しかしながら、例え包んだ状態のものでも、そのまま路上等に放置されると、人や車等に踏みつけられ路上等に固着し、問題となる場合が多い。そこで、かかる場合のチューイングガムの除去方法や除去具について、例えば、特許文献１〜３で提案されている。
【特許文献１】特公表２０００−５１５９３８号公報
【特許文献２】特開２０００−１６０５２９号公報
【特許文献３】特開平１０−３２３３０７号公報
【０００３】
また、特許文献４には、チューイングガムの包装材の外表面に、噛み終えたガムを包んで捨てることのできる包装紙を、複数枚引き剥がし可能なように、積層貼着したものも提案されている。しかし、時と所によっては、包んだ状態の噛み屑ガムでも捨てる場所がない場合もあり、前記のごとき問題は解決しない。
【特許文献４】実開平７−２２９６７号公報
【発明の開示】
【発明が解決しようとする課題】
【０００４】
本発明の目的は、従来提案されていない簡便な手段で、噛み屑ガムが路上等に放棄されないことを助長するガムパッケージを提供することにある。
【課題を解決するための手段】
【０００５】
上記目的を達成するために、本発明においては請求項１に記載のように、噛み屑入れが備わっていることを特徴とするガムパッケージを構成する。また、本発明は請求項２に記載のように、未使用ガムと噛み屑ガムとが可動式の仕切り板で仕切られていることを特徴とするガムパッケージを構成する。
【発明の効果】
【０００６】
本発明の実施により、噛み屑ガムをガムパッケージに収納できるようになり、噛み屑ガムが路上等に放棄されないことを助長するガムパッケージを提供することが可能となる。
【発明を実施するための最良の形態】
【０００７】
本発明に係るガムパッケージの一例を図１に示す。このガムパッケージは、外筒１と可動式の仕切り板２とを有する。外筒１の内部は仕切り板２によって二つの部分に別れ、一方には未使用ガム４が収納され、他方には噛み屑ガム５が収納される。噛み屑ガム５が収納される空間は噛み屑入れ３となる。外筒１および仕切り板２は厚紙等で構成される。
【０００８】
使用前においては、このガムパッケージには未使用ガム４のみが収納されており、噛み屑入れ３には、噛み屑ガム５一個分の収納容積がある。使用に際して、未使用ガム４をガム取り出し口６から取り出し、ガムを使用に供する。使用後の噛み屑ガム５は、噛み屑ガム収納口７より、噛み屑入れ３に収納する。ガムの使用くり返しによって、仕切り板２はガム取り出し口６の方向に移動し、噛み屑入れ３の容積を増やし、新しい噛み屑ガム５の収納が可能となる。
【図面の簡単な説明】
【０００９】
【図１】本発明に係るガムパッケージを説明する図である。
【符号の説明】
【００１０】
１  筒
２  仕切り板
３  噛み屑入れ
４  未使用ガム
５  噛み屑ガム
６  ガム取り出し口
７  噛み屑ガム収納口
【図１】
2006036259.tif 000003